(57)【要約】【課題】セグメントの変形や破損をまねくこと無くセグメントを段数多く積み重ねた状態で仮置きすることができる積み重ね用治具及びその積み重ね用治具を利用したセグメントの設置方法を提供する。【解決手段】積み重ね用治具３は、最下段のセグメント１と地面との間に設置された厚板状の柔軟性部材４と、上下に積み重ねられたセグメント１間に設置された厚板状の柔軟性部材５とから構成される。柔軟性部材５は、上下に積み重ねられたセグメント１間に、柔軟性部材４の略真上の位置に設置されている。【選択図】図１
2010189937.tif 000002
【特許請求の範囲】
【請求項１】
環状の覆工体を構成する断面弧状のセグメントの複数個を、それらの内面側を上方に向けて平面上に積み重ねた状態で仮置きする前記セグメントの設置方法において、
厚板状又は環状の柔軟性部材を前記平面上に設置し、
最下段の前記セグメントを、その内面側を上方に向けた状態で前記柔軟性部材上に設置した後、
別の前記柔軟性部材を、設置済みの前記柔軟性部材の略真上に位置するように、設置済みの最上段の前記セグメントの内面の上に設置する工程と、別の前記セグメントを、その内面側を上方に向けた状態で、設置済みの最上段の前記柔軟性部材上に設置する工程と、を所定数の前記セグメントが積み重ねられるまで繰り返すことを特徴とするセグメントの設置方法。
【請求項２】
請求項１に記載のセグメントの設置方法で用いられ、厚板状又は環状の柔軟性部材からなることを特徴とするセグメントの積み重ね用治具。
【請求項３】
前記柔軟性部材は、流体が充填された厚板状又は環状の袋体からなることを特徴とする請求項２に記載のセグメントの積み重ね用治具。
【請求項４】
前記厚板状の袋体は、上下に対向する面同士が間隔をおいて接合されることにより、複数の領域に区分けされてなることを特徴とする請求項３に記載のセグメントの積み重ね用治具。
【請求項５】
前記環状の袋体は、周方向に所定の間隔をおいて接合又は締め付けられることにより、複数の領域に区分けされてなることを特徴とする請求項３に記載のセグメントの積み重ね用治具。
【発明の詳細な説明】
【技術分野】
【０００１】
本発明は、セグメントの内面側を上方に向けて複数積み重ねて仮置きする設置方法、及びセグメントを積み重ねるための積み重ね用治具に関する。
【背景技術】
【０００２】
環状の覆工体を構成する断面弧状のセグメント１が、工場に仮置きされる場合は、図１３に示すように、縦置き状態で設置されるのが一般的である。そして、このように設置されたセグメント１を工場から工事現場へ出荷する際には、セグメント１の姿勢を縦置きからその内面側が上方になるように横置きに転換し、それ以降は、これらを複数積み重ねた状態で取り扱っていた。
【発明の概要】
【発明が解決しようとする課題】
【０００３】
しかしながら、セグメントを横置きに積み重ねる際、セグメント間に輪木と呼ばれる角材を適宜かませるだけで空間を確保しており、このまま段数を多く積み上げた状態で長時間放置すると、角材と接触している部分に過大な荷重が作用するので、時間の経過とともに、セグメントが変形したり、破損したりする恐れがあった。
【０００４】
そこで、本発明は、上記のような従来の問題に鑑みなされたものであって、セグメントの変形や破損をまねくこと無くセグメントを段数多く積み重ねた状態で仮置きすることができる積み重ね用治具及びその積み重ね用治具を利用したセグメントの設置方法を提供することを目的とするものである。
【課題を解決するための手段】
【０００５】
本発明は、環状の覆工体を構成する断面弧状のセグメントの複数個を、それらの内面側を上方に向けて平面上に積み重ねた状態で仮置きする前記セグメントの設置方法において、
厚板状又は環状の柔軟性部材を前記平面上に設置し、
最下段の前記セグメントを、その内面側を上方に向けた状態で前記柔軟性部材上に設置した後、
別の前記柔軟性部材を、設置済みの前記柔軟性部材の略真上に位置するように、設置済みの最上段の前記セグメントの内面の上に設置する工程と、別の前記セグメントを、その内面側を上方に向けた状態で、設置済みの最上段の前記柔軟性部材上に設置する工程と、を所定数の前記セグメントが積み重ねられるまで繰り返すことを特徴とする。
【０００６】
本発明によれば、平面と最下段のセグメントとの間及び上下に隣接するセグメント間に、柔軟性部材を設置することにより、セグメントは平面や他のセグメントと接触しない。また、柔軟性部材は変形可能なので、セグメントの外面、内面に沿って湾曲状に変形してセグメントに面的に密着するため、セグメントに作用する荷重は面状に分散し、荷重が一箇所に集中しない。さらに、平面と最下段のセグメントとの間に設置された柔軟性部材の略真上に位置するように、セグメント間の柔軟性部材を配置することにより、セグメントを支持する位置を上下方向に揃えることができる。これにより、各セグメントを支持する位置と上方のセグメントの荷重が作用する載荷位置とが一致するので、セグメントに曲げモーメントが作用しなくなる。したがって、セグメントに変形や破損が生ずるのを防止できる。
【０００７】
また、本発明のセグメントの積み重ね用治具は、上記セグメントの設置方法で用いられ、厚板状又は環状の柔軟性部材からなることを特徴とする。
【０００８】
本発明において、前記柔軟性部材は、流体が充填された厚板状の袋体からなることとしてもよく、この場合、袋体は、上下に対向する面同士が間隔をおいて接合されることにより、複数の領域に区分けされてなることとすれば、袋体は複数の領域に区分けされるので、一つの領域内の流体が流失しても他の領域でセグメントを支持することができる。
【０００９】
また、本発明において、前記柔軟性部材は、流体が充填された環状の袋体からなることとしてもよく、この場合、袋体は、周方向に所定の間隔をおいて接合又は締め付けられることにより、複数の領域に区分けされてなることとすれば、袋体は複数の領域に区分けされるので、一つの領域内の流体が流失しても他の領域でセグメントを支持することができる。
【発明の効果】
【００１０】
本発明によれば、セグメントの変形や破損をまねくこと無くセグメントを段数多く積み重ねた状態で仮置きすることができる。
【図面の簡単な説明】
【００１１】
【図１】本発明の実施形態に係るセグメントの積層構造を示す図である。
【図２】図１のＡ−Ａ矢視図である。
【図３】本実施形態に係る柔軟性部材を示す斜視図である。
【図４】本実施形態に係るセグメントの設置手順を示す図である。
【図５】本実施形態に係るセグメントの設置手順を示す図である。
【図６】本実施形態に係るセグメントの設置手順を示す図である。
【図７】本実施形態に係るセグメントの搬送手順を示す図である。
【図８】本実施形態に係るセグメントの搬送手順を示す図である。
【図９】本実施形態に係るセグメントの搬送手順を示す図である。
【図１０】本実施形態に係る柔軟性部材の他の実施例を示す図である。
【図１１】本実施形態に係る柔軟性部材の他の形状を示す図である。
【図１２】本実施形態に係る柔軟性部材の他の実施例を示す図である。
【図１３】工場内でのセグメントの保管状態を示す図である。
【発明を実施するための形態】
【００１２】
以下、本発明の好ましい実施形態について図面を用いて詳細に説明する。
【００１３】
図１は、本発明の実施形態に係るセグメント１の積層構造２を示す図であり、図２は、図１のＡ−Ａ矢視図である。
【００１４】
図１及び図２に示すように、環状の覆工体１２（図示しない）を構成するセグメント１を積み重ねた積層構造２は、内面１ａ側を上方に向けて積み重ねられた複数の断面弧状のセグメント１と、上下に積み重ねられたセグメント１同士が接触しないようにセグメント１間等に設置される積み重ね用治具３とを備える。
【００１５】
積み重ね用治具３は、最下段のセグメント１と地面との間に設置された厚板状の柔軟性部材４と、上下に積み重ねられたセグメント１間に設置された厚板状の柔軟性部材５とから構成される。柔軟性部材５は、上下に積み重ねられたセグメント１間に、柔軟性部材４の略真上の位置に設置されている。
【００１６】
図３は、本実施形態に係る柔軟性部材４、５の斜視図である。  
図３に示すように、柔軟性部材４、５は、例えば、ゴムからなる袋体に、液体、気体又は粘性体等の流体を充填して形成されたものであり、例えば、空気や水等を封入したものが使用できる。この柔軟性部材４、５は、セグメント１の形状に沿って弧状に変形可能である。  
再び、図１に示すように、柔軟性部材４の上面４ａ及び下面４ｂは、それぞれセグメント１の外面１ｂ及び地面に押圧状態で密着してセグメント１を支持する。  
また、柔軟性部材５の上面５ａ及び下面５ｂは、それぞれセグメント１の外面１ｂ及び内面１ａに押圧状態で密着してセグメント１を支持する。
【００１７】
以下に、本実施形態に係るセグメント１の設置方法を施工手順に従って説明する。  
図４〜図６は、本実施形態に係るセグメント１の設置手順を示す図である。
【００１８】
まず、図４に示すように、柔軟性部材４を地面上に設置する。そして、柔軟性部材４上に、セグメント１を、内面１ａ側を上方に向けた状態で設置する。このとき、セグメント１の中央が概ね柔軟性部材４の中央の略真上になるように設置する。  
次に、図５に示すように、柔軟性部材５をセグメント１の内面１ａ上に設置する。このとき、柔軟性部材５が、柔軟性部材４の略真上になるように設置する。  
次に、図６に示すように、新たなセグメント１を柔軟性部材５の上に設置する。  
そして、新たな柔軟性部材５をそのセグメント１の内面１ａ上に設置し、その上に、新たなセグメント１を設置する作業を繰り返すことにより、所定数のセグメント１を積み重ねる。
【００１９】
以下に、本実施形態に係るセグメント１の搬送方法を施工手順に従って説明する。  
図７〜図９は、本実施形態に係るセグメント１の搬送手順を示す図である。
【００２０】
まず、図７に示すように、上述した設置手順に従って、地上の仮置き場７に複数のセグメント１を積み重ねる。  
次に、図８及び図９に示すように、クレーン８で所定の枚数のセグメント１を積み重ねた状態のまま、すなわち、柔軟性部材５をセグメント１間に挟持したまま吊り上げて、仮置き場７から立坑９内へセグメント１を移動させて、立坑９内の台車１０に積み重ねる。このとき、台車１０上には、新たな柔軟性部材４を設置しておいて、その上に積み重ねた状態のセグメント１を設置する。  
最後に、台車１０でセグメント１を積み重ねた状態のまま立坑９からトンネル１１内の切羽近傍の覆工体１２の構築場所へ搬送する。
【００２１】
以上説明した本実施形態における積み重ね用治具３によれば、以下のような効果を得られる。
【００２２】
（１）最下段のセグメント１と地面との間及び上下に積み重ねられたセグメント１間には、それぞれ柔軟性部材４、５が設置されるので、セグメント１は地面や他のセグメント１と接触しない。また、セグメント１に作用する荷重を柔軟性部材４、５で面的に支持するため、セグメント１に作用する荷重は分散し、荷重が一箇所に集中しない。さらに、最下部の柔軟性部材４の略真上に、柔軟性部材５を設置することにより、セグメント１を支持する位置を上下方向に揃えることとなる。これにより、各セグメント１を支持する位置と上方のセグメント１の荷重が作用する載荷位置とが一致するので、セグメント１に曲げモーメントが作用しなくなる。したがって、セグメント１に変形や破損が生ずることを防止できる。
【００２３】
（２）柔軟性部材４、５は、セグメント１の形状に沿って変形可能であるため、セグメント１に面的に密着することができる。したがって、セグメント１を支持しても傷つけない。
【００２４】
なお、柔軟性部材４、５として、図１０に示すように、上下に対向する面４ａと４ｂ、５ａと５ｂが間隔をおいて接合されることにより、複数の領域に区分けされ、各領域にそれぞれ流体が充填された袋体の柔軟性部材４、５を用いてもよく、この場合においては、柔軟性部材４、５の内部が複数の領域に区分けされるので、一つの領域内の流体が流失しても他の領域でセグメント１を支持することができる。
【００２５】
また、本実施形態においては、積み重ね用治具３として、袋体に流体が充填された厚板状の柔軟性部材４、５を用いた場合について説明したが、これに限定されるものではなく、板状ゴム等の弾性体からなる柔軟性部材を用いてもよい。
【００２６】
また、本実施形態においては、積み重ね用治具３として、袋体に流体が充填された厚板状の柔軟性部材４、５を用いた場合について説明したが、この形状に限定されるものではなく、図１１に示すように、環状の袋体からなる柔軟性部材を用いてもよい。この環状の柔軟性部材を用いた場合にも、厚板状の柔軟性部材４、５を用いた場合と同様の設置手順で環状の柔軟性部材を設置することにより、セグメント１による荷重の載荷位置をその支点位置に一致させることができるので、セグメント１に曲げモーメントが作用しなくなり、セグメント１に変形や破損が生じないという同様の効果を得ることができる。そして、この場合も、袋体に限定されるものではなく、板状ゴム等の弾性体からなる柔軟性部材を用いてもよい。
【００２７】
さらに、環状の袋体からなる柔軟性部材を用いた場合には、図１２に示すように、周方向に所定の間隔をおいて柔軟性部材を接合又は締め付けることにより、流体を含む複数の領域に区分けされてなる環状の柔軟性部材として用いることができる。
【符号の説明】
【００２８】
１  セグメント
１ａ  内面
１ｂ  外面
２  積層構造
３  積み重ね用治具
４  柔軟性部材
４ａ  上面
４ｂ  下面
５  柔軟性部材
５ａ  上面
５ｂ  下面
７  仮置き場
８  クレーン
９  立坑
１０  台車
１１  トンネル
１２  覆工体
【図１】
2010189937.tif 000003
【図２】
2010189937.tif 000004
【図３】
2010189937.tif 000005
【図４】
2010189937.tif 000006
【図５】
2010189937.tif 000007
【図６】
2010189937.tif 000008
【図７】
2010189937.tif 000009
【図８】
2010189937.tif 000010
【図９】
2010189937.tif 000011
【図１０】
2010189937.tif 000012
【図１１】
2010189937.tif 000013
【図１２】
2010189937.tif 000014
【図１３】
2010189937.tif 000015